(57)【要約】【課題】ユーティリティー機能を備えたユーティリティーホルダをボックスに対して乗員の好みの位置に設置できる車両のコンソールを提供すること。【解決手段】車両のコンソール１のボックス１０には、複数のユーティリティー機能が備えられている。ユーティリティー機能は、ボックス１０に対して着脱可能に組み付けられているユーティリティーホルダ２０、３０、５０、６０に備えられている。【選択図】図１
2013082299.tif 000002
【特許請求の範囲】
【請求項１】
ボックスに複数のユーティリティー機能が備えられている車両のコンソールであって、
ユーティリティー機能は、ボックスに対して着脱可能に組み付けられているユーティリティーホルダに備えられていることを特徴とする車両のコンソール。
【請求項２】
請求項１に記載の車両のコンソールであって、
ユーティリティーホルダは、少なくとも、ドリンクケースを収納できるドリンクホルダと、乗員の肘を載せることができるアームレストホルダと、を備えており、
ドリンクホルダをボックスの内部のフロント側に組み付けると、アームレストホルダをボックスの内部のリア側に組み付け可能となっており、
アームレストホルダをボックスの内部のフロント側に組み付けると、ドリンクホルダをボックスの内部のリア側に組み付け可能となっていることを特徴とする車両のコンソール。
【発明の詳細な説明】
【技術分野】
【０００１】
本発明は、車両のコンソールに関し、詳しくは、ボックスに複数のユーティリティー機能が備えられている車両のコンソールに関する。
【背景技術】
【０００２】
従来、車両の運転席と助手席との間には、ボックスを有するコンソールが設けられている。ここで、下記特許文献１には、ユーティリティー機能としてのドリンクホルダとアームレストとがボックスに備えられている車両のコンソールが開示されている。これにより、ボックスを、単なるボックス体（収納ボックス）としてだけでなく、ドリンクを収納できると共に、乗員の肘掛けとしても使用できるため、コンソールの利便性を高めることができる。
【先行技術文献】
【特許文献】
【０００３】
【特許文献１】特開２０００−１２７８３１号公報
【発明の概要】
【発明が解決しようとする課題】
【０００４】
しかしながら、上述したコンソールでは、ドリンクホルダおよびアームレストはボックスに固定されているため、これらドリンクホルダおよびアームレストは、予め、標準体型の乗員に適した位置（標準位置）に設置されている。したがって、乗員の体格が小さいと、または乗員の体格が大きいと、これらドリンクホルダおよびアームレストの使用性が悪いという問題が発生していた。例えば、乗員の体格が小さいと（例えば、乗員が、小さな子供の場合）、アームレストは、標準位置より前寄りにあることが好ましく、乗員の体格が大きいと（例えば、乗員が、大きな男性の場合）、アームレストは、標準位置より後寄りにあることが好ましかった。
【０００５】
本発明は、このような課題を解決しようとするもので、その目的は、ユーティリティー機能を備えたユーティリティーホルダをボックスに対して乗員の好みの位置に設置できる車両のコンソールを提供することである。
【課題を解決するための手段】
【０００６】
本発明は、上記の目的を達成するためのものであって、以下のように構成されている。
請求項１に記載の発明は、ボックスに複数のユーティリティー機能が備えられている車両のコンソールであって、ユーティリティー機能は、ボックスに対して着脱可能に組み付けられているユーティリティーホルダに備えられていることを特徴とする構成である。
この構成によれば、これらユーティリティー機能を備えたユーティリティーホルダをボックスの内部に自由に差し込んで組み付けることができるため、これらユーティリティーホルダをボックスに対して乗員の好みの位置に設置できる。
【０００７】
また、請求項２に記載の発明は、請求項１に記載の車両のコンソールであって、ユーティリティーホルダは、少なくとも、ドリンクケースを収納できるドリンクホルダと、乗員の肘を載せることができるアームレストホルダと、を備えており、ドリンクホルダをボックスの内部のフロント側に組み付けると、アームレストホルダをボックスの内部のリア側に組み付け可能となっており、アームレストホルダをボックスの内部のフロント側に組み付けると、ドリンクホルダをボックスの内部のリア側に組み付け可能となっていることを特徴とする構成である。
この構成によれば、アームレストホルダを前後にスライドさせる場合と比較すると、スライド構造を必要とすることなく、アームレストホルダを前後に移動できる。したがって、コンソールの構造を簡素化できる。
【図面の簡単な説明】
【０００８】
【図１】図１は、ボックスと、ボックスの内部に組み付け可能な各種ユーティリティーホルダとを示す斜視図である。
【図２】図２は、図１のうち、アームレストホルダの組み付け構造を示す斜視図である。
【図３】図３は、図１において、各種ユーティリティーホルダを組み付けてＬｏグレードのコンソールが組み立てられた状態を示す図と、このＬｏグレードのコンソールをカスタマイズした状態を示す図である。
【図４】図３は、図１において、各種ユーティリティーホルダを組み付けて標準グレードのコンソールが組み立てられた状態を示す図と、この標準グレードのコンソールをカスタマイズした状態を示す図である。
【図５】図５は、図１において、各種ユーティリティーホルダを組み付けてＨｉグレードのコンソールが組み立てられた状態を示す図と、このＨｉグレードのコンソールをカスタマイズした状態を示す図である。
【発明を実施するための形態】
【０００９】
以下、本発明を実施するための形態を、図１〜５を用いて説明する。なお、以下の説明にあたって、「ユーティリティー機能」として、「物品収納機能、携帯電話設置機能、容器収納機能、肘掛け機能」を例に説明することとする。そのため、「ユーティリティーホルダ」として、「第１のトレーホルダ２０、第２のトレーホルダ３０、携帯電話ホルダ４０、第１のドリンクホルダ５０、第２のドリンクホルダ６０、アームレストホルダ７０」を例に説明することとする。
【００１０】
まず、図１を参照して、ボックス１０と、第１のトレーホルダ２０と、第２のトレーホルダ３０と、携帯電話ホルダ４０と、第１のドリンクホルダ５０と、第２のドリンクホルダ６０と、アームレストホルダ７０とを個別に説明していく。
【００１１】
はじめに、ボックス１０から説明していく。ボックス１０は、その上部が開口していることで、その内部に後述する各ホルダ２０、３０、４０、５０、６０、７０を適宜に組み付け可能な矩形状のボックス体から構成されている。このボックス１０は、運転席と助手席（いずれも図示しない）との間の車両ボデーＦに対して、その長手方向が車両ボデーＦの前後方向に沿ってブラケット８０を介したボルトＢ締めによって組み付けられている（図２参照）。
【００１２】
次に、図１に戻って、第１のトレーホルダ２０を説明する。この第１のトレーホルダ２０は、その上部が開口していることで、その内部に各種物品を収納可能な（物品収納機能を有する）矩形状のボックス体から構成されている。この第１のトレーホルダ２０は、第１のトレーホルダ自身２０をボックス１０の内部に差し込み可能となっている。これにより、第１のトレーホルダ２０をボックス１０の内部に組み付けることができる。これらの記載が、特許請求の範囲に記載の「ボックスに対して着脱可能に組み付けられているユーティリティーホルダ」に相当する。
【００１３】
次に、第２のトレーホルダ３０を説明する。この第２のトレーホルダ３０も、第１のトレーホルダ２０と同様に、その上部が開口していることで、その内部に各種物品を収納可能な（物品収納機能を有する）矩形状のボックス体から構成されている。この第２のトレーホルダ３０も、第２のトレーホルダ自身３０をボックス１０の内部に差し込み可能となっている。
【００１４】
これにより、第２のトレーホルダ３０をボックス１０の内部に組み付けることができる。これらの記載が、特許請求の範囲に記載の「ボックスに対して着脱可能に組み付けられているユーティリティーホルダ」に相当する。なお、この第２のトレーホルダ３０は、その嵩が上述した第１のトレーホルダ２０の嵩より低く設定されている。
【００１５】
次に、携帯電話ホルダ４０を説明する。この携帯電話ホルダ４０は、その上部の凹部４２に携帯電話（図示しない）を装着可能な（携帯電話設置機能を有する）自立形状の支持体から構成されている。この携帯電話ホルダ４０は、携帯電話ホルダ自身４０を第１のトレーホルダ２０の内部に差し込み可能となっている。これにより、携帯電話ホルダ４０を第１のトレーホルダ２０を介してボックス１０の内部に組み付けることができる。これらの記載が、特許請求の範囲に記載の「ボックスに対して着脱可能に組み付けられているユーティリティーホルダ」に相当する。
【００１６】
次に、第１のドリンクホルダ５０を説明する。この第１のドリンクホルダ５０は、その上部が開口していることで、その内部に各種ドリンクケース（缶、紙コップ等）を収納可能な（容器収納能を有する）円柱形状のボックス体から構成されている。この第１のドリンクホルダ５０は、第１のドリンクホルダ自身５０をボックス１０の内部に差し込み可能となっている。これにより、第１のドリンクホルダ５０をボックス１０の内部に組み付けることができる。これらの記載が、特許請求の範囲に記載の「ボックスに対して着脱可能に組み付けられているユーティリティーホルダ」に相当する。なお、第２のドリンクホルダ６０も、第１のドリンクホルダ５０と同様に構成されている。
【００１７】
最後に、アームレストホルダ７０を説明する。このアームレストホルダ７０は、その上部にクッション性を有する肘掛け面７２が形成されていることで、この肘掛け面７２に乗員の肘を載せることができる（肘掛け機能を有する）矩形状のクッション体から構成されている。このアームレストホルダ７０は、アームレストホルダ自身７０をボックス１０の内部に差し込みボルトＢ締め可能となっている。これにより、アームレストホルダ７０を第２のトレーホルダ３０を介してボックス１０の内部に組み付けることができる。
【００１８】
このとき、図２に示すように、アームレストホルダ７０をボックス１０に対して締めるボルトＢと、ボックス１０を車両ボデーＦに対して締めるボルトＢとは共用となっている。すなわち、アームレストホルダ７０とボックス１０とは共締めとなっている。これらの記載が、特許請求の範囲に記載の「ボックスに対して着脱可能に組み付けられているユーティリティーホルダ」に相当する。
【００１９】
ボックス１０と、第１のトレーホルダ２０と、第２のトレーホルダ３０と、携帯電話ホルダ４０と、第１のドリンクホルダ５０と、第２のドリンクホルダ６０と、アームレストホルダ７０とは、このように構成されている。
【００２０】
続いて、ボックス１０に、これら第１のトレーホルダ２０と、第２のトレーホルダ３０と、携帯電話ホルダ４０と、第１のドリンクホルダ５０と、第２のドリンクホルダ６０と、アームレストホルダ７０を適宜に組み付けて、３種類のグレードのコンソール（Ｌｏグレードのコンソール１、標準グレードのコンソール２、Ｈｉグレードのコンソール３）を組み立てる例を個別に説明する。
【００２１】
まず、図３（Ａ）を参照して、Ｌｏグレードのコンソール１の組み立てから説明していく。はじめに、ボックス１０の内部のフロント側に第１のトレーホルダ２０を差し込んで組み付ける。次に、組み付けた第１のトレーホルダ２０の後ろに第１のドリンクホルダ５０を差し込んで組み付ける。次に、組み付けた第１のドリンクホルダ５０の後ろに第２のドリンクホルダ６０を差し込んで組み付ける。最後に、組み付けた第２のドリンクホルダ６０の後ろに第２のトレーホルダ３０を差し込んで組み付ける。このようにしてＬｏグレードのコンソール１が組み立てられる。
【００２２】
なお、図３（Ｂ）に示すように、Ｌｏグレードのコンソール１をカスタマイズ（第１のＬｏグレードカスタマイズと記す）してもよい。例えば、Ｌｏグレードのコンソール１を組み立てるとき、はじめに、ボックス１０の内部のフロント側に第１のドリンクホルダ５０を差し込んで組み付ける。次に、組み付けた第１のドリンクホルダ５０の後ろに第１のトレーホルダ２０を差し込んで組み付ける。次に、組み付けた第１のトレーホルダ２０の後ろに第２のドリンクホルダ６０を差し込んで組み付ける。最後に、組み付けた第２のドリンクホルダ６０の後ろに第２のトレーホルダ３０を差し込んで組み付ける。このようにして第１のカスタマイズしたＬｏグレードのコンソール１ａが組み立てられる。
【００２３】
また、図３（Ｃ）に示すように、さらに、Ｌｏグレードのコンソール１をカスタマイズ（第２のＬｏグレードカスタマイズと記す）してもよい。例えば、Ｌｏグレードのコンソール１を組み立てるとき、はじめに、ボックス１０の内部のフロント側に第１のトレーホルダ２０を差し込んで組み付ける。次に、組み付けた第１のトレーホルダ２０の後ろに第２のトレーホルダ３０を差し込んで組み付ける。次に、組み付けた第２のトレーホルダ３０の後ろに第１のドリンクホルダ５０を差し込んで組み付ける。最後に、組み付けた第１のドリンクホルダ５０の後ろに第２のドリンクホルダ６０を差し込んで組み付ける。このようにして第２のカスタマイズしたＬｏグレードのコンソール１ｂが組み立てられる。
【００２４】
また、図３（Ｄ）に示すように、さらに、Ｌｏグレードのコンソール１をカスタマイズ（第３のＬｏグレードカスタマイズと記す）してもよい。例えば、Ｌｏグレードのコンソール１を組み立てるとき、はじめに、ボックス１０の内部のフロント側に第１のドリンクホルダ５０を差し込んで組み付ける。次に、組み付けた第１のドリンクホルダ５０の後ろに第２のドリンクホルダ６０を差し込んで組み付ける。次に、組み付けた第２のドリンクホルダ６０の後ろに第１のトレーホルダ２０を差し込んで組み付ける。最後に、組み付けた第１のトレーホルダ２０の後ろに第２のトレーホルダ３０を差し込んで組み付ける。このようにして第３のカスタマイズしたＬｏグレードのコンソール１ｃが組み立てられる。
【００２５】
次に、図４（Ａ）を参照して、標準グレードのコンソール２の組み立てを説明していく。はじめに、ボックス１０の内部のフロント側に第１のトレーホルダ２０を差し込んで組み付ける。次に、組み付けた第１のトレーホルダ２０の後ろに第１のドリンクホルダ５０を差し込んで組み付ける。次に、組み付けた第１のドリンクホルダ５０の後ろに第２のドリンクホルダ６０を差し込んで組み付ける。最後に、組み付けた第２のドリンクホルダ６０の後ろにアームレストホルダ７０を差し込んでボルトＢ締めによって組み付ける。このようにして標準グレードのコンソール２が組み立てられる。
【００２６】
なお、図４（Ｂ）に示すように、標準グレードのコンソール２をカスタマイズ（第１の標準グレードカスタマイズと記す）してもよい。例えば、標準グレードのコンソール２を組み立てるとき、はじめに、ボックス１０の内部のフロント側に第１のドリンクホルダ５０を差し込んで組み付ける。次に、組み付けた第１のドリンクホルダ５０の後ろに第１のトレーホルダ２０を差し込んで組み付ける。次に、組み付けた第１のトレーホルダ２０の後ろに第２のドリンクホルダ６０を差し込んで組み付ける。最後に、組み付けた第２のドリンクホルダ６０の後ろにアームレストホルダ７０を差し込んでボルトＢ締めによって組み付ける。このようにして第１のカスタマイズした標準グレードのコンソール２ａが組み立てられる。
【００２７】
また、図４（Ｃ）に示すように、さらに、標準グレードのコンソール２をカスタマイズ（第２の標準グレードカスタマイズと記す）してもよい。例えば、標準グレードのコンソール２を組み立てるとき、はじめに、ボックス１０の内部のフロント側に第１のドリンクホルダ５０を差し込んで組み付ける。次に、組み付けた第１のドリンクホルダ５０の後ろに第２のドリンクホルダ６０を差し込んで組み付ける。次に、組み付けた第２のドリンクホルダ６０の後ろに第１のトレーホルダ２０を差し込んで組み付ける。最後に、組み付けた第１のトレーホルダ２０の後ろにアームレストホルダ７０を差し込んでボルトＢ締めによって組み付ける。このようにして第２のカスタマイズした標準グレードのコンソール２ｂが組み立てられる。
【００２８】
また、図４（Ｄ）に示すように、さらに、標準グレードのコンソール２をカスタマイズ（第３の標準グレードカスタマイズと記す）してもよい。例えば、標準グレードのコンソール２を組み立てるとき、はじめに、ボックス１０の内部のフロント側に第１のトレーホルダ２０を差し込んで組み付ける。次に、組み付けた第１のトレーホルダ２０の後ろに第１のドリンクホルダ５０を差し込んで組み付ける。次に、組み付けた第１のドリンクホルダ５０の後ろにアームレストホルダ７０を差し込んでボルトＢ締めによって組み付ける。最後に、組み付けたアームレストホルダ７０の後ろに第２のドリンクホルダ６０を差し込んで組み付ける。このようにして第３のカスタマイズした標準グレードのコンソール２ｃが組み立てられる。
【００２９】
最後に、図５（Ａ）を参照して、Ｈｉグレードのコンソール３の組み立てを説明していく。はじめに、ボックス１０の内部のフロント側に第１のトレーホルダ２０を差し込んで組み付ける。次に、組み付けた第１のトレーホルダ２０の内部に携帯電話ホルダ４０を差し込んで組み付ける。次に、組み付けた第１のトレーホルダ２０の後ろに第１のドリンクホルダ５０を差し込んで組み付ける。次に、組み付けた第１のドリンクホルダ５０の後ろに第２のドリンクホルダ６０を差し込んで組み付ける。最後に、組み付けた第２のドリンクホルダ６０の後ろにアームレストホルダ７０を差し込んでボルトＢ締めによって組み付ける。このようにしてＨｉグレードのコンソール３が組み立てられる。
【００３０】
なお、図５（Ｂ）に示すように、Ｈｉグレードのコンソール３をカスタマイズ（第１のＨｉグレードカスタマイズと記す）してもよい。例えば、Ｈｉグレードのコンソール３を組み立てるとき、はじめに、ボックス１０の内部のフロント側に第１のトレーホルダ２０を差し込んで組み付ける。次に、組み付けた第１のトレーホルダ２０の内部に携帯電話ホルダ４０を差し込んで組み付ける。次に、組み付けた第１のトレーホルダ２０の後ろに第１のドリンクホルダ５０を差し込んで組み付ける。次に、組み付けた第１のドリンクホルダ５０の後ろにアームレストホルダ７０を差し込んでボルトＢ締めによって組み付ける。最後に、組み付けたアームレストホルダ７０の後ろに第２のドリンクホルダ６０を差し込んで組み付ける。このようにして第１のカスタマイズしたＨｉグレードのコンソール３ａが組み立てられる。
【００３１】
本発明の実施例に係るコンソール１（１ａ、１ｂ、１ｃ）、２（２ａ、２ｂ、２ｃ）、３（３ａ）は、上述したように構成されている。この構成によれば、物品収納機能、携帯電話設置機能、容器収納機能、肘掛け機能等のユーティリティー機能は、第１のトレーホルダ２０、第２のトレーホルダ３０、携帯電話ホルダ４０、第１のドリンクホルダ５０、第２のドリンクホルダ６０、アームレストホルダ７０等のユーティリティーホルダに備えられている。そして、これらユーティリティーホルダである第１のトレーホルダ２０、第２のトレーホルダ３０、携帯電話ホルダ４０、第１のドリンクホルダ５０、第２のドリンクホルダ６０、アームレストホルダ７０は、ボックス１０の内部に差し込んで組み付け可能となっている。そのため、これらユーティリティー機能を備えたユーティリティーホルダ（第１のトレーホルダ２０、第２のトレーホルダ３０、携帯電話ホルダ４０、第１のドリンクホルダ５０、第２のドリンクホルダ６０、アームレストホルダ７０）をボックス１０の内部に自由に差し込んで組み付けることができる。したがって、これらユーティリティーホルダ（第１のトレーホルダ２０、第２のトレーホルダ３０、携帯電話ホルダ４０、第１のドリンクホルダ５０、第２のドリンクホルダ６０、アームレストホルダ７０）をボックス１０に対して乗員の好みにカスタマイズできる。すなわち、これらユーティリティーホルダをボックス１０に対して乗員の好みの位置に設置できる。
【００３２】
また、この構成によれば、標準グレードのコンソール２を、第３のカスタマイズした標準グレードのコンソール２ｃにカスタマイズすると、アームレストホルダ７０を前方に移動させることができる。そのため、体格の小さな乗員に適したものにカスタマイズできる。なお、このようにカスタマイズできると、アームレストホルダ７０を前後にスライドさせてカスタマイズする場合と比較すると、スライド構造を必要とすることなく、アームレストホルダ７０を前方に移動できる。したがって、コンソール２の構造を簡素化できる。
【００３３】
上述した内容は、あくまでも本発明の一実施の形態に関するものであって、本発明が上記内容に限定されることを意味するものではない。
実施例では、「ユーティリティーホルダ」として、「第１のトレーホルダ２０、第２のトレーホルダ３０、携帯電話ホルダ４０、第１のドリンクホルダ５０、第２のドリンクホルダ６０、アームレストホルダ７０」を例に説明した。しかし、これに限定されるものでなく、各種のユーティリティー機能を備えていれば、どのようなホルダであっても構わない。
【符号の説明】
【００３４】
１      Ｌｏグレードのコンソール
２      標準グレードのコンソール
３      Ｈｉグレードのコンソール
１０    ボックス
２０    第１のトレーホルダ（ユーティリティーホルダ）
３０    第２のトレーホルダ（ユーティリティーホルダ）
４０    携帯電話ホルダ（ユーティリティーホルダ）
５０    第１のドリンクホルダ（ユーティリティーホルダ）
６０    第２のドリンクホルダ（ユーティリティーホルダ）
７０    アームレストホルダ（ユーティリティーホルダ）
【図１】
2013082299.tif 000003
【図２】
2013082299.tif 000004
【図３】
2013082299.tif 000005
【図４】
2013082299.tif 000006
【図５】
2013082299.tif 000007